(57)【特許請求の範囲】
【請求項１】
前縁と、上記前縁の反対側の後縁と、上記前縁から上記後縁まで延びる底壁と、上記底壁の反対側の上壁とを有するベースユニットと、
上記底壁と反対側に配置されて上記上壁に対応する作業面と、上記後端に対向して上記作業面に設けられるものであって、上記後縁から上記前縁に向けて上記作業面と平行する軸を有する軸ホルダとを有する、上記ベースユニットに対して回動可能に取り付けられた作業台と、
上記作業台の上記軸ホルダに回動可能に接続されて上記ベースユニット及び上記作業台に対して付勢可能な支持アームと、上記支持アームに設けられた鋸刃と、上記支持アームに設けられて上記鋸刃を回転させる駆動装置とを有し、上記鋸刃が、第１の端面と、上記第１の端面の反対側にある第２の端面とを有する、切断ユニットと
を備え、
上記ベースユニットに対して上記作業台を相対的に回動させて、上記軸ホルダの上記軸の向きを変えることにより、上記切断ユニットを動作位置から折り畳み位置まで変位させ、
上記動作位置では、上記軸ホルダの上記軸を中心に上記支持アームを回動させることにより、上記鋸刃と上記作業面との間の角度を９０°〜４５°の範囲内で、上記鋸刃の位置を形成させ、
上記折り畳み位置では、上記軸ホルダの上記軸を中心に上記支持アームを回動させることにより、上記鋸刃の上記第２の端面を上記作業面に近接させて、上記第２の端面が上記作業面と平行になるように、上記切断ユニットを折り畳まれた状態に配置させる
ことを特徴とする折り畳み可能なマイター鋸。
【請求項２】
上記切断ユニットの上記駆動装置は、上記鋸刃の上記第２の端面と対向して設けられ、
上記切断ユニットが上記動作位置にセットされると、上記駆動装置は、上記作業台の上記作業面の上に架設され、
上記切断ユニットが上記折り畳み位置にセットされ、上記切断ユニットを折り畳まれた状態に配置すると、上記駆動装置は、上記底壁に近接して上記後縁と向かい合うように、上記作業台の後ろ側に位置する
ことを特徴とする請求項１に記載の折り畳み可能なマイター鋸。
【請求項３】
上記切断ユニットの上記駆動装置は、上記鋸刃の方向と平行な方向で捉えた長さと、上記鋸刃の方向に対して垂直な方向で捉えた高さとを有し、
上記平行な方向で捉えた長さが、上記垂直な方向で捉えた高さよりも大きいことを特徴とする請求項１又は２に記載の折り畳み可能なマイター鋸。
【請求項４】
上記ベースユニットは、上記前縁と上記後縁との間に配置される左縁と、上記左縁とは反対側に配置される右縁と、それぞれ互いに離間して上記右縁に設けられる２つの吊り下げリングとを更に有し、
上記各吊り下げリングに着脱可能に装着される２つのバックルを有する肩部ストラップを備える
ことを特徴とする請求項１〜３のいずれかに記載の折り畳み可能なマイター鋸。
【請求項５】
上記ベースユニットの上記左縁は、
上記底壁と垂直に交差するとともに上記底壁から上記上壁に向かって延びる平坦な表面部分と、
上記平坦な表面部分の上側に接続するとともに上記上壁に近接して上記平坦な表面部分から外方に突出する突出部分と
を有することを特徴とする請求項４に記載の折り畳み可能なマイター鋸。
【請求項６】
上記切断ユニットの上記支持アームは、
上記作業台の上記軸ホルダに回動可能に接続されるとともに上記軸に沿って延びる回転部材と、
上記回転部材に回動可能に接続される片持ち梁状部材と
を備え、
上記回転部材及び上記片持ち梁状部材は、上記切断ユニットを上記折り畳まれた状態に配置したときに、上記作業台に対して後側に配置される
ことを特徴とする請求項１〜５のいずれかに記載の折り畳み可能なマイター鋸。
【請求項７】
上記切断ユニットの上記支持アームは、上記軸に平行に配置されて、上記回転部材を上記軸ホルダにロックするロック部材を更に備えることを特徴とする請求項６に記載の折り畳み可能なマイター鋸。
【請求項８】
上記ベースユニットは、上記上壁に固定して取り付けられ、上記作業台の上記作業面の上側まで伸長可能なフェンスを更に備え、
上記切断ユニットは、上記切断ユニットを折り畳まれた状態に配置したときに、上記フェンスに対して後側に配置される
ことを特徴とする請求項１〜７のいずれかに記載の折り畳み可能なマイター鋸。
【請求項９】
底壁と、上記底壁とは反対側の上壁とを有するベースユニットと、
軸ホルダを有し、上記ベースユニットに対して回動可能に取り付けられる作業台と、
上記作業台の上記軸ホルダに回動可能に接続されて、上記ベースユニット及び上記作業台に対して付勢可能な支持アームと、上記支持アームに取り付けられる鋸刃と、上記支持アームに取り付けられて、上記鋸刃を駆動して回転させる駆動装置とを有し、動作位置と折り畳み位置との間で変位可能である切断ユニットと
を備え、
上記ベースユニットに対して上記作業台を相対的に回動させて、上記軸ホルダの軸の向きを変えることにより、上記切断ユニットを動作位置から折り畳み位置まで変位させ、
上記動作位置では、上記切断ユニットが持ち上げ状態と押下状態との間で変位可能であり、
上記切断ユニットが上記押下状態にセットされたとき、動作高さが上記底壁と上記切断ユニットの反対側の最上端部との間に画定され、
上記切断ユニットが上記折り畳み位置にセットされ、上記軸ホルダの上記軸を中心に上記支持アームを回動させることにより、上記鋸刃の上記第２の端面を上記作業面に近接させて、上記第２の端面が上記作業面と平行になるように、上記切断ユニットを折り畳まれた状態に配置させたとき、上記支持アームは、上記軸を中心に上記ベースユニット及び上記作業台に対して回転可能であるため、最小高さが上記ベースユニットの上記底壁と上記切断ユニットの上記反対側の最上端部との間に画定され、上記動作高さが上記最小高さよりも大きい
ことを特徴とする折り畳み可能なマイター鋸。
【請求項１０】
上記最小高さが、上記動作高さの約半分であることを特徴とする請求項９に記載の折り畳み可能なマイター鋸。
【請求項１１】
（Ａ）ベースユニット、作業台及び切断ユニットを有するマイター鋸を準備するステップであって、上記ベースユニットは、前縁と、上記前縁の反対側の後縁と、上記前縁から上記後縁まで延びる底壁と、上記底壁の反対側の上壁と、上記上壁に固定して取り付けられたフェンスとを有し、上記作業台は、上記ベースユニットに対して回動可能に取り付けられており、上記底壁と反対側に配置されて上記上壁に対応する作業面と、上記後縁と対向して上記作業面に設けられるものであって、上記後縁から上記前縁に向けて上記作業面と平行する軸を有する軸ホルダとを有し、上記切断ユニットは、上記作業台の上記軸ホルダに回動可能に接続されて上記ベースユニット及び上記作業台に対して付勢可能な支持アームと、上記支持アームに設けられた鋸刃と、上記支持アームに設けられて上記鋸刃を回転させる駆動装置とを有し、上記鋸刃が、第１の端面と、上記第１の端面の反対側にある第２の端面とを有し、上記支持アームが、上記ベースユニット及び上記作業台に対して上記軸を中心に回動可能とする準備ステップと、
（Ｂ）上記切断ユニットを、９０°〜４５°の範囲内の夾角が上記鋸刃と上記作業面との間に形成される動作位置に配置可能にするステップと、
（Ｃ）上記ベースユニットに対して上記作業台を相対的に回動させて、上記軸ホルダの上記軸の向きを変えることにより、上記切断ユニットを動作位置から折り畳み位置まで変位させるステップと、
（Ｄ）上記切断ユニットの折り畳み位置で、上記軸ホルダの上記軸を中心に上記支持アームを回動させることにより、上記鋸刃の上記第２の端面を上記作業面に近接させて、上記第２の端面が上記作業面と平行になるように、上記切断ユニットを折り畳まれた状態に配置させるステップと
を有することを特徴とするマイター鋸の折り畳み方法。
【請求項１２】
ステップ（Ａ）において、上記切断ユニットの上記駆動装置は、上記鋸刃の上記第２の端面に対向し、ステップ（Ｂ）において、上記切断ユニットは、上記駆動装置が上記作業台の上記作業面の上に架設される上記動作位置に配置され、ステップ（Ｄ）において、上記切断ユニットは、上記駆動装置が、上記底壁に近接して上記後縁と向かい合うように、上記作業台の後ろ側に配置される、ことを特徴とする請求項１１に記載のマイター鋸折り畳み方法。
【発明の詳細な説明】
【技術分野】
【０００１】
本発明は、工作機械に関し、より詳細には、折り畳み可能なマイター鋸、及び、折り畳み可能なマイター鋸の折り畳み方法に関する。
【背景技術】
【０００２】
ベースユニット、ベースユニットに対して回動可能な作業台、作業台の一方の側面に接続される切断ユニット、及び、位置決めユニットを備える、従来のマイター鋸（特許文献１の従来技術）が知られている。ベースユニットは、底部フレーム、及び、底部フレームの２つの反対側の側面にそれぞれ固定して取り付けられる２つの足部スタンドを備える。位置決めユニットは、作業台にねじ留めされるねじロッドを備える。切断ユニットの切断角度を調整するとき、操作者は、ねじロッドを緩め、次に、作業台を操作して切断ユニットをベースユニットに対して回転させなければならない。切断ユニットを所望の角度まで移動させた後で、ねじロッドは再び締め付けられる。
【０００３】
さらに、特許文献２では、扇形板形状のロック部材と位置決めユニットとを組み合わせることにより、作業台の上壁に対する切断ユニットの鋸刃の傾斜角の調整を可能にし、所望の切断角度とすることができる。作業台の上壁に対する鋸刃の最大の傾斜角は４５°である。
【０００４】
上述した従来技術のマイター鋸は、切断角度の調整を可能にするが、これらのマイター鋸が使用されないとき、これらのマイター鋸のサイズは大きくなり、広い収納スペースを要することになる。さらに、製造後に運搬のためにマイター鋸を梱包する際、大きな運搬スペースを必要とし、これは運搬コストを増大させる。
【先行技術文献】
【特許文献】
【０００５】
【特許文献１】台湾特許第２０１３２５７７６号
【特許文献２】台湾特許第２０１４２０２３９号
【発明の概要】
【発明が解決しようとする課題】
【０００６】
本発明は、こうした状況下で考慮して達成された。本発明の主な目的は、収納及び運搬の利便性のために、マイター鋸のサイズを小さくするように折り畳み位置に折り畳むことができる折り畳み可能なマイター鋸を提供することである。
【０００７】
本発明の別の目的は、実施が簡単であるとともにマイター鋸を畳むことを容易にするマイター鋸の折り畳み方法を提供することである。
【課題を解決するための手段】
【０００８】
本発明のこれら及び他の目的を達成するために、折り畳み可能なマイター鋸が、ベースユニット、作業台及び切断ユニットを備える。ベースユニットは、前縁、前縁とは反対側の後縁、前縁から上記後縁まで延びる底壁、及び、底壁とは反対側の上壁を含む。上壁に対応して底壁とは反対側に配置される作業面、及び、後縁に向かって面するとともに作業面に接続される軸ホルダを含む作業台がベースユニットに対して回動可能に取り付けられる。さらに、軸ホルダは、作業面に平行に配置されるとともに後縁から前縁に向かって延びる軸を含む。切断ユニットは、作業台の軸ホルダに回動可能に接続されるとともにベースユニット及び作業台に対して付勢可能な支持アーム、支持アームに取り付けられる鋸刃、及び、支持アームに取り付けられるとともに鋸刃を駆動して回転させる駆動装置を備える。鋸刃は、第１の端面、及び、第１の端面とは反対側の第２の端面を含む。ベースユニットに対して作業台を相対的に回動させて、軸ホルダの軸の向きを変えることにより、切断ユニットを動作位置から折り畳み位置まで変位させる。動作位置では、軸ホルダの軸を中心に支持アームを回動させることにより、鋸刃と作業面との間の角度を９０°〜４５°の範囲内で、鋸刃の位置を形成させる。折り畳み位置では、軸ホルダの軸を中心に支持アームを回動させることにより、鋸刃の第２の端面を作業面に近接させて、第２の端面が作業面と平行になるように、切断ユニットを折り畳まれた状態に配置させる。
【０００９】
本発明のこれら及び他の目的を達成するために、折り畳み可能なマイター鋸が、ベースユニット、作業台及び切断ユニットを備える。ベースユニットは、底壁、及び、底壁とは反対側の上壁を含む。作業台はベースユニットに対して回動可能に取り付けられ、軸ホルダを備える。切断ユニットは、上記作業台の上記軸ホルダに回動可能に接続されるとともに上記ベースユニット及び上記作業台に対して付勢可能な支持アーム、当該支持アームに取り付けられる鋸刃、及び、上記支持アームに取り付けられるとともに上記鋸刃を駆動して回転させる駆動装置を備える。切断ユニットは、動作位置と折り畳み位置との間で移動可能である。ベースユニットに対して作業台を相対的に回動させて、軸ホルダの軸の向きを変えることにより、切断ユニットを動作位置から折り畳み位置まで変位させる。切断ユニットは、動作位置にあるときは、持ち上げ状態と押下状態との間で移動可能である。切断ユニットが押下状態にあるとき、動作高さが、ベースユニットの底壁と切断ユニットの反対側の最上端部との間に画定される。折り畳み位置で、軸ホルダの軸を中心に支持アームを回動させることにより、鋸刃の第２の端面を作業面に近接させて、第２の端面が作業面と平行になるように、切断ユニットを折り畳まれた状態に配置させたとき、支持アームは、軸を中心にベースユニット及び作業台に対して回転可能であるため、最小高さがベースユニットの底壁と切断ユニットの反対側の最上端部との間に画定され、動作高さが最小高さよりも大きい。最小高さは動作高さの約半分である。
【００１０】
本発明のこれら及び他の目的を達成するために、マイター鋸の折り畳み方法は、以下のようなステップを含む。
（Ａ）ベースユニット、作業台及び切断ユニットを備えるマイター鋸を準備するステップ。ベースユニットは、前縁、前縁とは反対側の後縁、前縁から後縁まで延びる底壁、底壁とは反対側の上壁、及び、上壁において固定して取り付けられるフェンスを含む。作業台はベースユニットにおいて取り付けられる。作業台は、底壁とは反対側に配置されるとともに上壁に対応する作業面、及び、後縁に向かって面するとともに作業面に接続される軸ホルダを含む。軸ホルダは、作業面に平行に配置されるとともに後縁から前縁に向かって延びる軸を含む。切断ユニットは、作業台の軸ホルダに回動可能に接続されるとともにベースユニット及び作業台に対して付勢可能な支持アーム、支持アームに取り付けられる鋸刃、及び、支持アームに取り付けられるとともに鋸刃を駆動して回転させる駆動装置を備える。鋸刃は、第１の端面、及び、第１の端面とは反対側の第２の端面を含む。支持アームは、軸を中心にベースユニット及び作業台に対して回転可能である。
（Ｂ）切断ユニットを、９０°〜４５°内に含まれる角度が鋸刃と作業台との間に形成される動作位置に配置することを可能にするステップ。
（Ｃ）ベースユニットに対して作業台を相対的に回動させて、軸ホルダの軸の向きを変えることにより、切断ユニットを動作位置から折り畳み位置まで変位させるステップと、
（Ｄ）切断ユニットの折り畳み位置で、軸ホルダの軸を中心に支持アームを回動させることにより、鋸刃の第２の端面を作業面に近接させて、第２の端面が作業面と平行になるように、切断ユニットを折り畳まれた状態に配置させるステップ。
【００１１】
したがって、支持アームをベースユニット及び作業台に対して回転させて、切断ユニットの位置を折り畳み位置に変位することによって、折り畳み可能なマイター鋸のサイズが最小限に抑えられ、したがって、収納及び運搬を容易にすることができ、折り畳み可能なマイター鋸の梱包体積及び運搬コストを低減する。
【００１２】
本発明の他の利点及び特徴は、同様の参照符号が構造の同様の構成要素を指す添付の図面と、併せて以下の説明を参照することによって十分に理解されるであろう。
【図面の簡単な説明】
【００１３】
【図１】本発明による折り畳み可能なマイター鋸の斜視図である。
【図２】本発明による折り畳み可能なマイター鋸の分解図である。
【図３】本発明による折り畳み可能なマイター鋸の概略側面図である。
【図４】本発明による折り畳み可能なマイター鋸の切断ユニットの概略上面図である。
【図５】ベースユニットに対して４５°にわたって作業台とともに回転した切断ユニットを示す、本発明の概略動作図である。
【図６】折り畳み位置にある折り畳み可能なマイター鋸、及び、ベースユニットに対して後側で受け入れられた切断ユニットを示す、本発明の上面図である。
【図７】折り畳み位置における折り畳み可能なマイター鋸を示す、本発明の底面斜視図である。
【図８】折り畳み位置における折り畳み可能なマイター鋸を示す、本発明の上面図である。
【図９】折り畳み位置における折り畳み可能なマイター鋸を示す、本発明の底面図である。
【図１０】収納のために立てられた折り畳み可能なマイター鋸のベースユニットを示す概略図である。
【図１１】運ぶために折り畳み可能なマイター鋸のベースユニットに締結された肩部ストラップを示す概略図である。
【発明を実施するための形態】
【００１４】
図面は必ずしも縮尺通りに描かれておらず、その構成要素のより良い理解を提供するように描かれており、範囲を限定する意図はなく、むしろ、例示的な説明を提供することを意図することに留意されたい。図面は、本発明の例示的な実施形態及びその構成要素を示しており、本開示によるその構造、構成及び構成要素を決して限定しないことに更に留意されたい。
【００１５】
図１、図２及び図３を参照すると、本発明による折り畳み可能なマイター鋸が示されている。折り畳み可能なマイター鋸は、ベースユニット１０、作業台２０及び切断ユニット３０を備える。
【００１６】
ベースユニット１０は、前縁１１、前縁１１とは反対側に配置される後縁１２、前縁１１から後縁１２まで延びる底壁１３、底壁１３とは反対側に配置される上壁１３１、前縁１１と後縁１２との間で接続される左縁１４、左縁１４とは反対側に配置される右縁１５、右縁１５にそれぞれ接続されて互いに所定の距離で離間する２つの吊り下げリング１６を有する。
【００１７】
構造的に、ベースユニット１０は、ディスク状の底部フレーム１７、底部フレーム１７の２つの反対側の側面外方に接続される２つの足部スタンド１８、及び、足部スタンド１８の外側にそれぞれ後退可能に連結される２つの支持ブロック１９を備える。前縁１１及び後縁１２は、ディスク状の底部フレーム１７及び足部スタンド１８の周囲に沿ってそれぞれ形成される。左縁１４及び右縁１５は、足部スタンド１８の外側にそれぞれ形成される。上壁１３１は、足部スタンド１８の上側に形成される。図１０も参照すると、左縁１４は、底壁１３から上壁１３１に向かって延びて、底壁１３と垂直に交差するように規定される平坦な表面部分１４１を有する。突出部分１４２は、平坦な表面部分１４１の上側に接続され、平坦な表面部分１４１から上壁１３１に近接するように外方に突出する。ベースユニット１０は、上壁１３１において固定して取り付けられるフェンス１００を更に備える。フェンス１００は、足部スタンド１８の上部から、底部フレーム１７の上の上側まで延びる。
【００１８】
作業台２０は、ベースユニット１０の底部フレーム１７の上部に回動可能に取り付けられる。作業台２０は、その上に形成されて、上壁１３１に対応するとともに底壁１３とは反対側の作業面２１、後縁１２に対応して作業面２１に接続される軸ホルダ２２、及び、軸ホルダ２２とは反対側に配置されるとともに作業面２１に対して外方に延びる操作ハンドル２３を有する。軸ホルダ２２は、後縁１２から前縁１１に向かって作業面２１に対して平行に延びる軸Ｌ１、及び、動作可能なロックピン２２１を含む。さらに、フェンス１００は、上壁１３１から作業面２１の上側まで延びる。
【００１９】
切断ユニット３０は、作業台２０の軸ホルダ２２に回動可能に連結されるとともにベースユニット１０及び作業台２０に対して付勢可能な支持アーム３１、支持アーム３１において取り付けられた鋸刃３２、並びに、支持アーム３１において取り付けられて鋸刃３２を駆動して回転させる駆動装置３３を備える。支持アーム３１は、ベースユニット１０及び作業台２０に対して軸Ｌ１を中心に回動可能である。回転部材３１１は、軸ホルダ２２の外側に接続されて軸Ｌ１に沿って延び、片持ち梁状部材３１２は、回転部材３１１に回動可能に接続され、ロック部材３１３は、軸Ｌ１に平行に配置されており、回転部材３１１を軸ホルダ２２にロックするようになっており（図６を参照のこと）、鋸刃ガード３１４は鋸刃３２を部分的に遮蔽する。図２に示されているように、回転部材３１１は、ロックピン２２１と選択的に係合するように定められた、複数の等角度に離間した位置決め穴３１５、３１６、３１７を有している。位置決め穴３１７は細長い弓形の円弧形状である。鋸刃３２は、第１の端面３２１、及び、第１の端面３２１とは反対側の第２の端面３２２を有する。駆動装置３３は、第２の端面３２２と対向するように設けられており、鋸刃３２の方向と平行な方向で捉えた長さＬ、鋸刃３２の方向に対して垂直な方向で捉えた高さＨである（図４を参照のこと）。長さＬは高さＨよりも大きい。
【００２０】
図１及び図３では、マイター鋸は、十分に組み立てられて動作位置にセットされた状態を示している。動作位置では、駆動装置３３が、作業台２０の作業面２１の上に持ち上げられている。ワークが作業面２１に配置されてフェンス１００に当接して停止されると、切断ユニット３０の片持ち梁状部材３１２を動作させることによって、鋸刃３２は回転部材３１１に対して鉛直方向に上下移動し、それによって、鉛直方向の切断動作を行う。図５に示されているように、マイター切断を行うために、操作者は、作業台２０及び切断ユニット３０をベースユニット１０に対して回動させるため、操作ハンドル２３を操作する。図１及び図２に示されているように、ベベル切断を行うために、操作者は、支持アーム３１が、ベベル切断を行なうための所定の角度範囲内で作業台２０に対する軸Ｌ１を中心に鋸刃３２を回転できるように、ロック部材３１３及びロックピン２２１を操作する。支持アーム３１は、軸Ｌ１を中心に左側又は右側に向けて、鋸刃３２を回転させるように駆動され、それによって、鋸刃３２の第２の端面３２２と作業面２１との間で形成される所定の角度（少なくとも４０°以上）の位置で鋸刃３２をロックするために、ロックピン２２１は、中間の位置決め穴３１６又は右側の細長い弓形の位置決め穴３１７と係合し、駆動装置３３は、作業台２０の作業面２１の上に架設され、したがってベベル切断を行うことができる。マイター鋸が一時的に使用されず、運搬のために収納又は梱包される必要があるとき、マイター鋸を畳まれた状態に折り畳むことができる。折り畳み方法は以下のようなステップを含む。
ステップＩ：図１に示されているように、マイター鋸を上述したように準備する。
ステップＩＩ：切断ユニット３０を、鋸刃３２と作業台２０との間で形成される夾角が９０°〜４５°であり、すなわち、ロックピン２２１を位置決め穴３１６又は３１７に選択的に係合させ、鋸刃３２の第２の端面３２２と作業面２１との間で形成される夾角を調整する動作位置に設定する。
ステップＩＩＩ：切断ユニット３０をベースユニット１０に対して回転させ、例えば、この実施形態では、操作者は、作業台２０及び切断ユニット３０を、図５に示されている位置に回転させることができ、それによって、切断ユニット３０は、作業台２０によって駆動されて左縁１４に向かって４５°回転する。
ステップＩＶ：その後、図６〜図９に示されているように、操作者は、ロック部材３１３及びロックピン２２１を操作してロックピン２２１を位置決め穴３１６又は３１７からはずし、次に、支持アーム３１に支持されている鋸刃３２の第２の端面３２２が作業面２１に近接して平行に保たれる折り畳み位置となるまで、軸Ｌ１を中心にして切断ユニット３０を作業台２０に向けて回転させ、軸ホルダ２２に接続された回転部材３１１とともに支持アーム３１を移動する。ロックピン２２１が位置決め穴３１５に挿入されて、切断ユニット３０を折り畳み位置でロックする。切断ユニット３０が折り畳み位置でロックされると、駆動装置３３は、底壁１３に近接して後縁１２と向かい合うように作業台２０の後側に保たれ、回転部材３１１及び片持ち梁状部材３１２は、作業台２０に対して後側に配置され、切断ユニット３０はフェンス１００に対して後側に配置される。
【００２１】
したがって、本発明のマイター鋸折り畳み方法の連続的なステップを行うことによって、操作者は、切断ユニット３０を動作位置から折り畳み位置に折り畳むことができる。
【００２２】
上述したような切断ユニット３０の動作位置及び折り畳み位置の定義以外に、以下のように定義することもできることに言及する価値がある。図３に示されているように、切断ユニット３０が動作位置に設定されると、切断ユニット３０の片持ち梁状部材３１２を、回転部材３１１及び作業台２０に対して、持ち上げ状態（図３の仮想線を指す）と押下状態（図３の実線を参照のこと）との間で変位させることができる。切断ユニット３０が押下状態に変位させると、動作高さＨ１が、ベースユニット１０の底壁１３と、切断ユニット３０の反対側の最上端部との間に定まる。図６及び図１０に示されているように、切断ユニット３０が折り畳み位置に配置されると、支持アーム３１は、軸Ｌを中心にベース１０及び作業台２０に対して回転することができるため、最小高さＨ２が、ベースユニット１０の底壁１３と切断ユニット３０の反対側の最上端部との間に定まる。動作高さＨ１は最小高さＨ２よりも大きい。さらに、最小高さＨ２は動作高さＨ１の約半分である。
【００２３】
本発明の折り畳み可能なマイター鋸のベースユニットが、上述した構造に限定されないことにも言及する価値がある。例えば、ベースユニットは、台湾特許第Ｍ３７４９２６号に記載されているようなものとすることができ、作業台、並びに、作業台に対して回転可能な第１の回転ユニット及び第２の回転ユニットを備える。この代替的な形態も、期待される動作及び折り畳みの目的を達成することができる（図示せず）。
【００２４】
図１０を参照すると、左縁１４の突出部分１４２は平坦な表面部分１４１から外方に突出し、それによって、左縁１４は、切断ユニット３０が折り畳み位置に設定された後で床に対して当接することができ、したがって、ベースユニット１０の底壁１３を壁上で支持することを可能にする。このように、底壁１３は、上方に延び、徐々に壁に向かう向きになり、折り畳み可能なマイター鋸が床に落下することを防止する。したがって、本発明は、マイター鋸の収納及びスペースの利用を容易にする。
【００２５】
図１１を参照すると、本発明の折り畳み可能なマイター鋸は肩部ストラップ４０を更に備える。肩部ストラップ４０は、ベースユニット１０の吊り下げリング１６にそれぞれ着脱可能に装着される２つのバックル４１を備える。折り畳み可能なマイター鋸を折り畳み位置にロックした後で肩部ストラップ４０をベースユニット１０に対してバックルで留めることによって、折り畳み可能なマイター鋸は、運搬のために人が簡便に運ぶことができる。
【００２６】
結論として、本発明は、切断作業を行うために動作位置に簡便に変位することができ、折り畳み位置に簡便に変位することもできる折り畳み可能なマイター鋸を提供する。折り畳み可能なマイター鋸が折り畳み位置にあるとき、駆動装置３３及び切断ユニット３０の構成を、ベースユニット１０の後側まで回転させることができ、折り畳み可能なマイター鋸の寸法を大幅に小さくすることができ、収納及び運搬を容易にするとともにマイター鋸の運搬コストを低減する。
【００２７】
本発明の特定の実施形態を説明のために詳細に記載したが、種々の変更形態及び改良を、本発明の主旨及び範囲から逸脱することなく行うことができる。したがって、本発明は、添付の特許請求の範囲によるもの以外は限定されないものとする。
【図１】
0006429999.tif 000002
【図２】
0006429999.tif 000003
【図３】
0006429999.tif 000004
【図４】
0006429999.tif 000005
【図５】
0006429999.tif 000006
【図６】
0006429999.tif 000007
【図７】
0006429999.tif 000008
【図８】
0006429999.tif 000009
【図９】
0006429999.tif 000010
【図１０】
0006429999.tif 000011
【図１１】
0006429999.tif 000012